(57)【要約】【課題】ロック機構の大型化を抑制できる印刷装置を提供する。【解決手段】印刷部と、本体部と、本体部に対して開閉可能に設けられる第一開閉体（画像読取装置１３）と、第一開閉体に対して開閉可能に設けられる第二開閉体と、ロック機構３０と、を備え、ロック機構は、本体部と第一開閉体とをロックするロック位置と、ロックしない非ロック位置との間で移動可能な第一ロック部材４０と、第一開閉体と第二開閉体とをロックするロック位置と、ロックしない非ロック位置との間で移動可能な第二ロック部材５０と、ガイド部材６０と、を有し、第一ロック部材及び第二ロック部材は、一方がロック位置に位置する場合に他方が非ロック位置に位置するように相互に連動し、ガイド部材には、第二ロック部材が有する第一ピン５３及び第二ピン５４がそれぞれ独立して係合する第一ガイド部６２及び第二ガイド部６３が設けられている。【選択図】図４
2018064176.tif 000002
【特許請求の範囲】
【請求項１】
媒体に印刷を行う印刷部と、
前記印刷部を収容する本体部と、
前記本体部に対して開閉可能に設けられる第一開閉体と、
前記第一開閉体に対して開閉可能に設けられる第二開閉体と、
前記第一開閉体及び前記第二開閉体のうち一方が開いている場合に他方が開かないようにロックするロック機構と、を備え、
前記ロック機構は、
前記本体部と前記第一開閉体とをロックするロック位置と、ロックしない非ロック位置との間で移動可能な第一ロック部材と、
前記第一開閉体と前記第二開閉体とをロックするロック位置と、ロックしない非ロック位置との間で移動可能な第二ロック部材と、
前記第二ロック部材の移動をガイドするガイド部材と、を有し、
前記第一ロック部材及び前記第二ロック部材は、一方がロック位置に位置する場合に他方が非ロック位置に位置するように相互に連動し、
前記第一ロック部材は、上下方向と交差する方向に移動することでロック位置と非ロック位置との間を変位し、
前記第二ロック部材は、回動することでロック位置と非ロック位置との間を変位し、
前記ガイド部材には、前記第二ロック部材が有する第一ピン及び第二ピンがそれぞれ独立して係合する第一ガイド部及び第二ガイド部が設けられていることを特徴とする印刷装置。
【請求項２】
前記第一ガイド部及び前記第二ガイド部は、前記第一ロック部材の移動する方向において、一部の領域が重なるように設けられていることを特徴とする請求項１に記載の印刷装置。
【請求項３】
前記第一ガイド部及び前記第二ガイド部は、上下方向において一部の領域が重なるように設けられていることを特徴とする請求項１又は請求項２に記載の印刷装置。
【請求項４】
前記第一ガイド部及び前記第二ガイド部は、上下方向に沿って延びる部分を有し、
前記第二ガイド部の下側部分には、前記第二ロック部材が前記第一ピンを中心に回動可能となるように前記第二ピンの移動を許容する許容部が設けられていることを特徴とする請求項１乃至請求項３のうち何れか一項に記載の印刷装置。
【請求項５】
前記第一ピンは、その上端部分に非円弧状の切欠部を有し、
前記切欠部は、前記第一ガイド部の上縁と面接触可能とされていることを特徴とする請求項１乃至請求項４のうち何れか一項に記載の印刷装置。
【発明の詳細な説明】
【技術分野】
【０００１】
本発明は、例えばインクジェット式プリンターなどの印刷装置に関する。
【背景技術】
【０００２】
従来から、装置本体の上部に画像読取装置及び自動給送装置が積み重なるように配置される印刷装置が知られている。こうした印刷装置においては、画像読取装置が装置本体に対して開閉可能に設けられ、自動給送装置が画像読取装置に対して開閉可能に設けられるものがある（例えば特許文献１）。特許文献１の印刷装置は、自動給送装置が開いたときには画像読取装置が開かないようにロックし、画像読取装置が開いたときには自動給送装置が開かないようにロックするロック機構を備えている。
【０００３】
このロック機構は、装置本体と画像読取装置とをロック可能な第１ロック部材と、画像読取装置と自動給送装置とをロック可能な第２ロック部材と、第２ロック部材の移動をガイドする位置規制部材と、を有している。第１ロック部材は、上下方向と交差する方向にスライドすることによりロック位置とロック解除位置との間を変位するように設けられ、第２ロック部材は、回動することによりロック位置とロック解除位置との間を切り替え可能に設けられている。位置規制部材には、第２ロック部材が有する第１ピン及び第２ピンが係合する１つの溝部が設けられている。そして、第２ロック部材は、第１ピン及び第２ピンが溝部に沿って移動することで、位置規制部材にガイドされる。
【先行技術文献】
【特許文献】
【０００４】
【特許文献１】特開２０１４−１９２５９１号公報
【発明の概要】
【発明が解決しようとする課題】
【０００５】
ところで、特許文献１の印刷装置においては、第１ピン及び第２ピンの二つのピンがともに係合するように溝部を設ける必要があるため、溝部の長さが長くなりがちであり、ロック機構の大型化に繋がってしまうという実情がある。
【０００６】
本発明は、上記実情に鑑みてなされたものであり、その目的は、ロック機構の大型化を抑制できる印刷装置を提供することにある。
【課題を解決するための手段】
【０００７】
以下、上記課題を解決するための手段及びその作用効果について記載する。
上記課題を解決する印刷装置は、媒体に印刷を行う印刷部と、前記印刷部を収容する本体部と、前記本体部に対して開閉可能に設けられる第一開閉体と、前記第一開閉体に対して開閉可能に設けられる第二開閉体と、前記第一開閉体及び前記第二開閉体のうち一方が開いている場合に他方が開かないようにロックするロック機構と、を備え、前記ロック機構は、前記本体部と前記第一開閉体とをロックするロック位置と、ロックしない非ロック位置との間で移動可能な第一ロック部材と、前記第一開閉体と前記第二開閉体とをロックするロック位置と、ロックしない非ロック位置との間で移動可能な第二ロック部材と、前記第二ロック部材の移動をガイドするガイド部材と、を有し、前記第一ロック部材及び前記第二ロック部材は、一方がロック位置に位置する場合に他方が非ロック位置に位置するように相互に連動し、前記第一ロック部材は、上下方向と交差する方向に移動することでロック位置と非ロック位置との間を変位し、前記第二ロック部材は、回動することでロック位置と非ロック位置との間を変位し、前記ガイド部材には、前記第二ロック部材が有する第一ピン及び第二ピンがそれぞれ独立して係合する第一ガイド部及び第二ガイド部が設けられている。
【０００８】
この構成によれば、第一ピン及び第二ピンがそれぞれ第一ガイド部及び第二ガイド部に独立して係合するため、例えば第一ピン及び第二ピンが共通する一つのガイド部と係合する構成と比較して、ガイド部の長さを短くできる。ガイド部の長さを短くすることで、ロック機構における設計の自由度が向上されるため、ロック機構の小型化に貢献できる。したがって、ロック機構の大型化を抑制できる。
【０００９】
上記印刷装置において、前記第一ガイド部及び前記第二ガイド部は、前記第一ロック部材の移動する方向において、一部の領域が重なるように設けられていることが好ましい。
この構成によれば、上下方向と交差する方向である第一ロック部材の移動する方向において第一ガイド部及び第二ガイド部が占める領域が小さくなるため、ロック機構の大型化を抑制できる。
【００１０】
上記印刷装置において、前記第一ガイド部及び前記第二ガイド部は、上下方向において一部の領域が重なるように設けられていることが好ましい。
この構成によれば、上下方向において第一ガイド部及び第二ガイド部が占める領域が小さくなるため、ロック機構の大型化を抑制できる。
【００１１】
上記印刷装置において、前記第一ガイド部及び前記第二ガイド部は、上下方向に沿って延びる部分を有し、前記第二ガイド部の下側部分には、前記第二ロック部材が前記第一ピンを中心に回動可能となるように前記第二ピンの移動を許容する許容部が設けられていることが好ましい。
【００１２】
この構成によれば、許容部により、第二ロック部材が第一ピンを中心に回動可能となるため、第一ガイド部における第一ピンの位置に因らず、第二ガイド部における第二ピンの位置に基づいて第二ロック部材の回動動作が許容される。すなわち、第一ピン及び第二ピンの双方の位置に基づいて第二ロック部材の回動動作を許容する構成と比較して、ロック機構を簡易な構成にできる。
【００１３】
上記印刷装置において、前記第一ピンは、その上端部分に非円弧状の切欠部を有し、前記切欠部は、前記第一ガイド部の上縁と面接触可能とされていることが好ましい。
この構成によれば、第一ピンの切欠部が第一ガイド部の上縁と接触する場合に、第二ロック部材の姿勢を一定に維持することができる。
【図面の簡単な説明】
【００１４】
【図１】印刷装置の一実施形態を示す斜視図。
【図２】画像読取装置が開いたときの斜視図。
【図３】自動給送装置が開いたときの斜視図。
【図４】ロック機構の斜視図。
【図５】ロック機構を示す断面図。
【図６】第一ガイド部及び第二ガイド部を示す側面図。
【図７】画像読取装置が開いたときの断面図。
【図８】自動給送装置が開いたときの断面図。
【発明を実施するための形態】
【００１５】
以下、印刷装置の一種であるインクジェット式プリンターの一実施形態について図を参照して説明する。
図１に示すように、印刷装置１１は、装置本体を構成する本体部１２と、本体部１２に対して開閉可能に設けられる第一開閉体としての画像読取装置１３と、画像読取装置１３に対して開閉可能に設けられる第二開閉体としての自動給送装置１４とを備えている。印刷装置１１は、本体部１２の上方に画像読取装置１３が配置され、画像読取装置１３の上方に自動給送装置１４が配置され、それぞれが上下方向Ｚに積み重なるように構成されている。なお、画像読取装置１３は、原稿に記録されている文字や写真などの画像を読み取る装置であり、自動給送装置１４は、画像読取装置１３に向けて原稿を給送する装置である。
【００１６】
本体部１２には、印刷装置１１を統括的に操作するための操作部１５が、印刷装置１１の前面に設けられている。この操作部１５は、例えばタッチパネル式の液晶画面や操作用のボタン等を有する。また、本体部１２の前面において、操作部１５の下方には、たとえば用紙などの媒体を積層状態で収容可能な第一媒体収容部１６及び第二媒体収容部１７が、印刷装置１１の前後方向に沿って着脱可能に設けられている。第一媒体収容部１６及び第二媒体収容部１７は上下方向Ｚにおいて重なるように設けられ、第一媒体収容部１６が第二媒体収容部１７の上方に配置されている。そして、上下方向Ｚにおいて、操作部１５と第一媒体収容部１６との間には、第一媒体収容部１６及び第二媒体収容部１７から搬送されて印刷が行われた媒体が本体部１２内から本体部１２外へと排出されるための排出口１８が設けられている。
【００１７】
図２に示すように、画像読取装置１３は、印刷装置１１の前面側とは反対側となる後面側に設けられた例えばヒンジなどの回動機構１９を介して本体部１２に取り付けられている。画像読取装置１３は、この回動機構１９によって、本体部１２に対して開閉可能とされている。そして、画像読取装置１３は、印刷装置１１の前後方向と交差する印刷装置１１の左右方向において、回動機構１９が設けられた左端側とは反対側となる右端側に設けられた例えばリンク機構などの保持機構２０により、その姿勢が保持される。
【００１８】
回動機構１９を軸として画像読取装置１３が本体部１２に対して開かれることにより、本体部１２内が露出される。本体部１２内には、媒体に印刷を行う印刷部２１が設けられている。本体部１２に収容される印刷部２１は、印刷装置１１の左右方向と沿う走査方向Ｘに移動可能とされている。印刷部２１には、例えばインクなどの液体を収容する液体収容体２２が着脱可能に複数搭載されている。そして、印刷部２１は、走査方向Ｘと交差する副走査方向Ｙに沿って移動する媒体に対し、走査方向Ｘに沿って移動しつつ液体収容体２２に収容された液体を噴射することで印刷を行う。すなわち、本実施形態において、副走査方向Ｙは、印刷装置１１の前後方向と沿う方向である。
【００１９】
図３に示すように、自動給送装置１４は、印刷装置１１の後面側に設けられた回動機構２３及び保持機構２４を介して画像読取装置１３に取り付けられている。なお、この回動機構２３及び保持機構２４は、画像読取装置１３と本体部１２との間に設けられる回動機構１９及び保持機構２０とそれぞれ同様の機能を有している。自動給送装置１４が画像読取装置１３に対して開かれることにより、画像読取装置１３の上面に設けられた透明板２５が露出される。透明板２５は例えばガラスなどの透明材料で構成され、画像読取装置１３は、この透明板２５上に載置された原稿の画像を読取可能とされている。そして、印刷装置１１は、画像読取装置１３及び自動給送装置１４のうち一方が開いている場合に他方が開かないようにロックするロック機構３０を備えている。本実施形態におけるロック機構３０は、画像読取装置１３において、印刷装置１１の前面側且つ左端側となる隅に設けられている。
【００２０】
次に、ロック機構３０の構成について説明する。なお、以降の説明では、説明の便宜のために、走査方向Ｘにおいて、印刷装置１１の右端側を＋Ｘ側とし、その左端側を−Ｘ側と呼称する。また、副走査方向Ｙにおいて、印刷装置１１の前面側を＋Ｙ側とし、その後面側を−Ｙ側と呼称する。また、上下方向Ｚにおいて、印刷装置１１の上側を＋Ｚ側とし、その下側を−Ｚ側と呼称する。
【００２１】
図４及び図５に示すように、ロック機構３０は、本体部１２と画像読取装置１３とをロックする第一ロック部材４０と、画像読取装置１３と自動給送装置１４とをロックする第二ロック部材５０と、第一ロック部材４０及び第二ロック部材５０が組み付けられ、第二ロック部材５０の移動をガイドするガイド部材６０とを備えている。また、ロック機構３０は、ガイド部材６０に対して、第一ロック部材４０を付勢する第一付勢部材７１と、第二ロック部材５０を付勢する第二付勢部材７２とを備えている。なお、本実施形態におけるロック機構３０は、画像読取装置１３が有する画像読取装置側フレーム８１に取り付けられ、第一ロック部材４０が第二ロック部材５０よりも副走査方向Ｙにおいて−Ｙ側に位置するように構成されている。
【００２２】
ガイド部材６０は、第一ロック部材４０及び第二ロック部材５０を囲うように設けられている。また、ガイド部材６０は、第一ロック部材４０及び第二ロック部材５０を挟み込むように走査方向Ｘにおいて向かい合う一対の板状部６１を有している。副走査方向Ｙに沿って延びる一対の板状部６１には、第二ロック部材５０の移動をガイドするための第一ガイド部６２及び第二ガイド部６３が板状部６１を貫通するようにそれぞれに設けられている。また、ガイド部材６０は、副走査方向Ｙにおいて＋Ｙ側となる部分に、ロック機構３０を画像読取装置側フレーム８１に組み付けるための組付部６４を有している。
【００２３】
組付部６４は、鉤状をなすように上下方向Ｚの−Ｚ側に延びる爪部６５が、画像読取装置側フレーム８１に設けられた係止部８２に係止されるように組み付けられている。また、ガイド部材６０は、副走査方向Ｙにおいて−Ｙ側となる部分に、ロック機構３０を画像読取装置側フレーム８１に固定するための固定部６６を有している。固定部６６は、一対の板状部６１の端部から屈曲するように走査方向Ｘに沿って板状に延びている。そして、固定部６６は、副走査方向Ｙにおいて−Ｙ側となる面から−Ｙ側に向けて延びる板状の留部６７が、画像読取装置側フレーム８１に対してねじ９０で留められることで固定されている。
【００２４】
第一ロック部材４０は、本体部１２に対して画像読取装置１３をロックするための鉤部４１と、上下方向Ｚと交差する副走査方向Ｙに沿ってスライドするように移動可能な移動部４２とを備えている。鉤部４１は、上下方向Ｚにおいて移動部４２から−Ｚ側に延びるように設けられ、副走査方向Ｙにおいて＋Ｙ側となる先端部分が、本体部１２が有する本体部側フレーム８３に設けられた係合部８４と係合可能とされている。なお、本体部側フレーム８３に設けられる係合部８４は、画像読取装置１３が本体部１２に対して閉じられている場合に、上下方向Ｚにおいて＋Ｚ側となる先端部分が、ガイド部材６０を構成する板状部６１同士の間となる空間域に向かって延び、第二ロック部材５０の一部と接触している。
【００２５】
移動部４２には、第一ロック部材４０を付勢する第一付勢部材７１が取り付けられている。第一付勢部材７１は、例えばばねやゴムなどで構成され、その一端が固定部６６において副走査方向Ｙの＋Ｙ側となる面に取り付けられ、その他端が移動部４２において固定部６６と対向するように設けられた取付部４３に取り付けられている。そして、第一付勢部材７１は、副走査方向Ｙの＋Ｙ側に向けて移動部４２を付勢している。すなわち、第一ロック部材４０は、第一付勢部材７１の付勢力によって移動部４２とともに鉤部４１が＋Ｙ側へ移動することで、鉤部４１が本体部側フレーム８３の係合部８４と係合する位置、つまり本体部１２と画像読取装置１３とをロックするロック位置（図８参照）に移動可能とされている。
【００２６】
なお、移動部４２は、副走査方向Ｙにおいて＋Ｙ側となる部分に設けられる接触部４４が、第二ロック部材５０の一部と接触している。そのため、第一ロック部材４０は、接触部４４と接触する第二ロック部材５０が第一付勢部材７１の付勢力に対抗することで、鉤部４１が本体部側フレーム８３の係合部８４と係合しない位置、つまり本体部１２と画像読取装置１３とをロックしない非ロック位置で静止される。この接触部４４は、副走査方向Ｙにおいて＋Ｙ側から−Ｙ側に向けて上り勾配となるように傾斜している。
【００２７】
図５及び図６に示すように、第二ロック部材５０は、画像読取装置１３に対して自動給送装置１４をロックするためのフック部５１と、ガイド部材６０によりガイドされて移動可能な可動部５２とを備えている。フック部５１は、可動部５２において副走査方向Ｙの＋Ｙ側となる部分から上下方向Ｚの＋Ｚ側に向けて延びるように設けられ、自動給送装置１４が有する自動給送装置側フレーム８５に設けられた係合部８６と係合可能とされている。また、自動給送装置側フレーム８５は、第二ロック部材５０のフック部５１において上下方向Ｚの＋Ｚ側となる先端部分を係合部８６へ向けて案内するように湾曲する案内部８７を有している。この案内部８７は、画像読取装置１３に対して自動給送装置１４が閉じられている場合に、フック部５１において上下方向Ｚの＋Ｚ側となる先端部分と接触している。
【００２８】
可動部５２は、ガイド部材６０に設けられた第一ガイド部６２及び第二ガイド部６３とそれぞれ独立して係合する円柱状の第一ピン５３及び第二ピン５４を有している。なお、第一ピン５３は、副走査方向Ｙにおいて第二ピン５４よりも＋Ｙ側に設けられ、上下方向Ｚにおいて＋Ｚ側となる部分に、第一ピン５３の一部を切り欠くように形成された非円弧状をなす切欠部５５を有している。また、可動部５２は、副走査方向Ｙにおいて−Ｙ側となる先端部分に、円弧状をなす摺動部５６を有している。この摺動部５６は、第一ロック部材４０の接触部４４と接触している。すなわち、第二ロック部材５０の摺動部５６が、第一ロック部材４０の移動を規制している。また、可動部５２は、本体部側フレーム８３の係合部８４において上下方向Ｚの＋Ｚ側となる先端部分が接触する当接部５７を有している。
【００２９】
第二ロック部材５０の第一ピン５３及び第二ピン５４がそれぞれ係合する第一ガイド部６２及び第二ガイド部６３は、上下方向Ｚに沿って延びるように設けられている。また、第一ガイド部６２及び第二ガイド部６３は、副走査方向Ｙ及び上下方向Ｚにおいて、一部の領域が互いに重なるように設けられている。第一ガイド部６２は、副走査方向Ｙにおける幅が一定となるように上下方向Ｚに沿って延び、−Ｚ側となる下縁が円弧状をなす一方で、＋Ｚ側となる上縁が副走査方向Ｙに沿う直線状をなすように構成されている。
【００３０】
第二ガイド部６３は、副走査方向Ｙにおける幅が上下方向Ｚにおいて＋Ｚ側から−Ｚ側に向かうにつれて徐々に大きくなるように延びる部分を有している。また、第二ガイド部６３は、上下方向Ｚに沿って延びる部分において−Ｚ側となる下側から副走査方向Ｙの＋Ｙ側に向けて屈曲するように延びる部分を有している。なお、この屈曲するように延びた第二ガイド部６３の下側部分は、第二ロック部材５０が回動することを許容する許容部６８とされている。すなわち、第二ガイド部６３は、上下方向Ｚにおいてその上端部分が第一ガイド部６２の下端部分と重なるように設けられ、副走査方向Ｙにおいて許容部６８が第一ガイド部６２の一部と重なるように設けられている。そして、第二ロック部材５０は、第一ピン５３及び第二ピン５４がそれぞれ第一ガイド部６２及び第二ガイド部６３に係合することにより、第一ガイド部６２及び第二ガイド部６３に沿ってその移動がガイドされる。
【００３１】
フック部５１には、第二ロック部材５０を付勢する第二付勢部材７２が取り付けられている。第二付勢部材７２は、第一付勢部材７１と同様に例えばばねやゴムなどで構成され、その一端が、上下方向Ｚの−Ｚ側となる部分に設けられた円板状をなす台座部５８の−Ｚ側の面に取り付けられている。また、第二付勢部材７２の他端は、台座部５８と対向するガイド部材６０の組付部６４の一面に取り付けられている。そして、第二付勢部材７２は、上下方向Ｚの＋Ｚ側に向けてフック部５１を付勢している。
【００３２】
ここで、第二付勢部材７２がフック部５１を付勢することにより、第二ロック部材５０は、フック部５１の先端部分が自動給送装置側フレーム８５の係合部８６に向けて案内部８７に沿って移動するとともに、第二ピン５４が第二ガイド部６３に沿って許容部６８に収まるように移動することで、第一ピン５３を中心に回動する。すなわち、第二ロック部材５０は、第二付勢部材７２の付勢力により第一ピン５３を中心に回動することで、フック部５１が自動給送装置側フレーム８５の係合部８６と係合する位置、つまり画像読取装置１３と自動給送装置１４とをロックするロック位置（図７参照）に移動可能とされている。
【００３３】
なお、可動部５２は、摺動部５６と隣り合うように設けられる当接部５７が本体部側フレーム８３の係合部８４と接触している。そのため、第二ロック部材５０は、本体部側フレーム８３の係合部８４が第二付勢部材７２の付勢力に対抗することで、第二ロック部材５０の回動動作を規制し、フック部５１が自動給送装置側フレーム８５の係合部８６と係合しない位置、つまり画像読取装置１３と自動給送装置１４とをロックしない非ロック位置で静止される。また、第二ロック部材５０には第二付勢部材７２により上下方向Ｚの＋Ｚ側へ向けて移動しようとする力が働くが、自動給送装置側フレーム８５の案内部８７がフック部５１の先端部分を抑えるように接触しているため、第二ロック部材５０が＋Ｚ側へスライドするように移動することが規制されている。
【００３４】
次に、上記のように構成された印刷装置１１の作用について、特にロック機構３０に注目して説明する。
図７に示すように、画像読取装置１３が本体部１２に対して開かれると、本体部側フレーム８３と画像読取装置側フレーム８１とが互いに離れ、本体部側フレーム８３に設けられた係合部８４と第二ロック部材５０の可動部５２に設けられた当接部５７とが非接触となる。すなわち、第二ロック部材５０の回動動作を規制していた本体部側フレーム８３の係合部８４が当接部５７から離れるため、第二付勢部材７２の付勢力により第二ロック部材５０が第一ピン５３を中心に回動する。
【００３５】
第二ロック部材５０が回動する際には、フック部５１が自動給送装置側フレーム８５の案内部８７に案内されるように移動するとともに、可動部５２の摺動部５６が第一ロック部材４０の接触部４４と摺動しながら第二ピン５４が許容部６８に収まるように移動する。そして、フック部５１が自動給送装置側フレーム８５の係合部８６と係合することで、画像読取装置１３と自動給送装置１４とがロックされる。すなわち、ロック機構３０は、本体部１２に対して画像読取装置１３が開いている場合に、画像読取装置１３に対して自動給送装置１４が開かないようにロックする。なお、開いた画像読取装置１３を閉じる際には、本体部側フレーム８３の係合部８４が第二ロック部材５０の当接部５７を押し上げるように接触し、第二ロック部材５０が非ロック位置へと回動する。すなわち、第二ロック部材５０は、回動することでロック位置と非ロック位置との間を変位し、両位置間で移動可能とされている。
【００３６】
図８に示すように、自動給送装置１４が画像読取装置１３に対して開かれると、画像読取装置側フレーム８１と自動給送装置側フレーム８５とが互いに離れ、自動給送装置側フレーム８５に設けられた案内部８７と第二ロック部材５０のフック部５１とが非接触となる。すなわち、第二ロック部材５０が＋Ｚ側へ向けて移動することを規制していた自動給送装置側フレーム８５の案内部８７がフック部５１から離れるため、第二付勢部材７２の付勢力により第二ロック部材５０が＋Ｚ側へ移動する。
【００３７】
第二ロック部材５０が＋Ｚ側へ移動する際には、可動部５２の摺動部５６が第一ロック部材４０の接触部４４と摺動しつつ、第一ピン５３及び第二ピン５４がそれぞれ第一ガイド部６２及び第二ガイド部６３に沿って＋Ｚ側へ移動する。また、第二ロック部材５０が＋Ｚ側へ移動することに伴い、第二ロック部材５０により移動が規制されていた第一ロック部材４０が、第一付勢部材７１の付勢力によって副走査方向Ｙの＋Ｙ側へと移動する。このとき、第一ロック部材４０は、第二ロック部材５０の可動部５２に対して潜り込むように接触部４４が第二ロック部材５０の摺動部５６と摺動しながら移動する。そのため、第一ロック部材４０は、第二ロック部材５０の＋Ｚ側への移動を補助する。
【００３８】
そして、移動部４２とともに＋Ｚ側へ移動する鉤部４１が本体部側フレーム８３の係合部８４と係合することで、本体部１２と画像読取装置１３とがロックされる。すなわち、ロック機構３０は、画像読取装置１３に対して自動給送装置１４が開いている場合に、本体部１２に対して画像読取装置１３が開かないようにロックする。また、このときの第二ロック部材５０は、第一ピン５３の切欠部５５が第一ガイド部６２の上縁と面接触し、画像読取装置１３と自動給送装置１４とをロックしない非ロック位置に位置している。
【００３９】
なお、開いた自動給送装置１４を閉じる際には、自動給送装置側フレーム８５の案内部８７が第二ロック部材５０のフック部５１を押し下げるように接触し、第二ロック部材５０の摺動部５６が第一ロック部材４０の接触部４４を押し出すように第二ロック部材５０が元の位置に復帰することで、第一ロック部材４０が非ロック位置へと移動する。すなわち、第一ロック部材４０は、上下方向Ｚと交差する副走査方向Ｙに移動することでロック位置と非ロック位置との間を変位し、両位置間で移動可能とされている。まとめると、ロック機構３０は、画像読取装置１３及び自動給送装置１４のうち一方が開いている場合に他方をロックする。また、ロック機構３０を構成する第一ロック部材４０及び第二ロック部材５０は、一方がロック位置に位置する場合に他方が非ロック位置に位置するように相互に連動するように構成されている。
【００４０】
上記実施形態によれば、以下のような効果を得ることができる。
（１）第一ピン５３及び第二ピン５４がそれぞれ第一ガイド部６２及び第二ガイド部６３に独立して係合するため、例えば第一ピン５３及び第二ピン５４が共通する一つのガイド部と係合する構成と比較して、ガイド部の長さを短くできる。ガイド部の長さを短くすることで、ロック機構３０における設計の自由度が向上されるため、ロック機構３０の小型化に貢献できる。したがって、ロック機構３０の大型化を抑制できる。
【００４１】
（２）第一ガイド部６２及び第二ガイド部６３が、第一ロック部材４０の移動する副走査方向Ｙにおいて、一部の領域が重なるように設けられることで、上下方向Ｚと交差する方向である第一ロック部材４０の移動する副走査方向Ｙにおいて第一ガイド部６２及び第二ガイド部６３が占める領域が小さくなるため、ロック機構３０の大型化を抑制できる。
【００４２】
（３）第一ガイド部６２及び第二ガイド部６３が、上下方向Ｚにおいて一部の領域が互いに重なるように設けられることで、上下方向Ｚにおいて第一ガイド部６２及び第二ガイド部６３が占める領域が小さくなるため、ロック機構３０の大型化を抑制できる。
【００４３】
（４）第二ガイド部６３の下側部分に設けられる許容部６８により、第二ロック部材５０が第一ピン５３を中心に回動可能となるため、第一ガイド部６２における第一ピン５３の位置に因らず、第二ガイド部６３における第二ピン５４の位置に基づいて第二ロック部材５０の回動動作が許容される。すなわち、第一ピン５３及び第二ピン５４の双方の位置に基づいて第二ロック部材５０の回動動作を許容する構成と比較して、ロック機構３０を簡易な構成にできる。
【００４４】
（５）第一ピン５３に設けられる切欠部５５が第一ガイド部６２の上縁と面接触可能とされているため、第一ピン５３の切欠部５５が第一ガイド部６２の上縁と接触する場合に、第二ロック部材５０の姿勢を一定に維持することができる。
【００４５】
なお、上記実施形態は以下のように変更してもよい。また、以下の変更例は適宜組み合わせてもよい。
・第一ピン５３は、第二ピン５４と同様に切欠部５５が設けられていない構成でもよい。また、第一ガイド部６２の上縁は下縁と同様に円弧状に設けられていてもよい。
【００４６】
・第一ピン５３及び第二ピン５４は、円柱状に限らず、四角注や三角柱のような形状でもよく、またその他の形状であってもよい。
・印刷装置１１が備える第一開閉体及び第二開閉体は、例えば単なるカバー部材として構成されていてもよい。
【００４７】
・ロック機構３０は、一つに限らず複数設けられていてもよい。複数設けることでロック強度を向上できる。
・ガイド部材６０は、画像読取装置１３の画像読取装置側フレーム８１と一体化される構成でもよい。
【００４８】
・第一ガイド部６２及び第二ガイド部６３は、板状部６１を貫通して設けられる構成に限らず、例えば凹条の溝として設けられる構成としてもよい。
・第二ロック部材５０は、例えば第二ピン５４を中心に回動する構成でもよい。また、第二ピン５４に切欠部５５を備えていてもよい。
【００４９】
・印刷部２１は、走査方向Ｘに移動可能とされるシリアルヘッドタイプに限らず、走査方向Ｘにおいて長尺となる所謂ラインヘッドタイプでもよい。
・媒体は、用紙だけなく、フィルムや布帛などでもよい。
【００５０】
・印刷装置１１は、インク以外の他の流体（液体や、機能材料の粒子が液体に分散又は混合されてなる液状体、ゲルのような流状体、流体として流して噴射できる固体を含む）を噴射したり吐出したりして印刷を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して印刷を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００５１】
１１…印刷装置、１２…本体部、１３…画像読取装置（第一開閉体）、１４…自動給送装置（第二開閉体）、２１…印刷部、４０…第一ロック部材、４２…移動部、４３…取付部、４４…接触部、５０…第二ロック部材、５１…フック部、５２…可動部、５３…第一ピン、５４…第二ピン、５５…切欠部、５６…摺動部、５８…台座部、６０…ガイド部材、６１…板状部、６２…第一ガイド部、６３…第二ガイド部、６６…固定部、６７…留部、６８…許容部、７１…第一付勢部材、７２…第二付勢部材、８１…画像読取装置側フレーム、Ｘ…走査方向、Ｙ…副走査方向、Ｚ…上下方向。
【図１】
2018064176.tif 000003
【図２】
2018064176.tif 000004
【図３】
2018064176.tif 000005
【図４】
2018064176.tif 000006
【図５】
2018064176.tif 000007
【図６】
2018064176.tif 000008
【図７】
2018064176.tif 000009
【図８】
2018064176.tif 000010